(57)【要約】      （修正有）【課題】汚染水槽内に貯蔵されている放射能汚染水から放射性物質を容易に、且つ、効率良く回収することができる放射能汚染水・空気浄化装置と放射能汚染水・空気浄化システムを提供する。【解決手段】多孔体２５と、多孔体の外側又は内側に配置されヨウ素又は臭素存在下で金属ナノ粒子又は金属酸が定着されたフィルタ２３と、を具備したものであり、放射能汚染水・空気中の放射性物質を容易、且つ、効率良く回収して浄化することができる。【選択図】図１
0003220597.tif 000002
【実用新案登録請求の範囲】
【請求項１】
多孔体と、
上記多孔体の外側又は内側に配置され担体にヨウ素又は臭素存在下で金属ナノ粒子又は金属酸が定着されたフィルタと、
を具備したことを特徴とする放射能汚染水・空気浄化装置。
【請求項２】
請求項１記載の放射能汚染水・空気浄化装置において、
上記多孔体は内側多孔体であり、該内側多孔体の外側に上記フィルタが配置されていることを特徴とする放射能汚染水・空気浄化装置。
【請求項３】
請求項２記載の放射能汚染水・空気浄化装置において、
上記フィルタの外側にはカラムが配置されていることを特徴とする放射能汚染水・空気浄化装置。
【請求項４】
請求項２記載の放射能汚染水・空気浄化装において、
上記フィルタの外側には外側多孔体が配置されていることを特徴とする放射能汚染水・空気浄化装置。
【請求項５】
請求項１〜請求項４の何れかに記載の放射能汚染水・空気浄化装置において、
上記フィルタは蛇腹状に設けられていることを特徴とする放射能汚染水・空気浄化装置。
【請求項６】
請求項１〜請求項５の何れかに記載の放射能汚染水・空気浄化装置において、
上記フィルタは綿布又は不織布を担体としそこにヨウ素又は臭素存在下で金属ナノ粒子又は金属酸が定着されたものであることを特徴とする放射能汚染水・空気浄化装置。
【請求項７】
請求項１〜請求項５の何れかに記載の放射能汚染水・空気浄化装置において、
上記フィルタはガラス繊維又は鉱物繊維からなるものを担体としそこにヨウ素又は臭素存在下で金属ナノ粒子又は金属酸が定着されたものであることを特徴とする放射能汚染水・空気浄化装置。
【請求項８】
請求項１〜請求項７の何れかに記載の放射能汚染水・空気浄化装置において、
上記多孔体はステンレス製又はプラスチック製であることを特徴とする放射能汚染水・空気浄化装置。
【請求項９】
請求項１〜請求項８の何れかに記載の放射能汚染水・空気浄化装置において、
上記金属ナノ粒子又は金属酸は白金ナノ粒子又は白金酸であることを特徴とする放射能汚染水・空気浄化装置。
【請求項１０】
請求項９記載の放射能汚染水・空気浄化装置において、
上記白金酸はヘキサクロロ白金（ＩＶ）酸６水和物であることを特徴とする放射能汚染水・空気浄化装置。
【請求項１１】
汚染水槽と、上記汚染水槽に連絡された請求項１〜請求項１０の何れかに記載の放射能汚染水・空気浄化装置と、上記放射能汚染水・空気浄化装置に連絡された希釈水槽と、を具備し、
上記汚染水槽内の放射能汚染水を上記放射能汚染水・空気浄化装置に導入し、
導入された放射能汚染水を上記フィルタを通して浄化し、
上記浄化された処理水を上記希釈水槽内に貯めるようにしたことを特徴とする放射能汚染水・空気浄化システム。
【請求項１２】
請求項１１記載の放射能汚染水・空気浄化システムにおいて、
上記処理水の放射線量を線量計で計測するようにしたことを特徴とする放射能汚染水・空気浄化システム。
【請求項１３】
汚染水槽と、上記汚染水槽内に配置された請求項１〜請求項１０の何れかに記載の放射能汚染水・空気浄化装置と、を具備し、
上記汚染水槽内の放射能汚染水を上記フィルタを通して浄化させ、
上記浄化された処理水を上記汚染水槽内に戻し、
以下、循環させるようにしたことを特徴とする放射能汚染水・空気浄化システム。
【請求項１４】
請求項１３記載の放射能汚染水・空気浄化システムにおいて、
上記汚染水内には水中ポンプが浸漬されていて、上記放射能汚染水・空気浄化装置は上記水中ポンプの吐出側に配置されていることを特徴とする放射能汚染水・空気浄化システム。
【請求項１５】
汚染水槽と、上記汚染水槽に連絡された浄化水槽と、上記浄化水槽内であって汚染水導入側に配置された請求項１〜請求項１０の何れかに記載の放射能汚染水・空気浄化装置と、上記浄化水槽内であって処理水排出側に配置された請求項１〜請求項１０の何れかに記載の放射能汚染水・空気浄化装置と、を具備し、
汚染水槽からの放射能汚染水を上記放射能汚染水・空気浄化装置を通して上記浄化装置内に導き、
上記浄化装置内に導かれた処理水を上記放射能汚染水・空気浄化装置を通して再度浄化して上記浄化装置の外に流出させるようにしたことを特徴とする放射能汚染水・空気浄化システム。
【請求項１６】
請求項１５記載の放射能汚染水・空気浄化システムにおいて、
上記浄化装置内は担体にヨウ素又は臭素存在下で金属ナノ粒子又は金属酸が定着されたフィルタにより区画されていることを特徴とする放射能汚染水・空気浄化システム。
【請求項１７】
汚染水槽と、上記汚染水槽に連絡されたポンプと、上記汚染水槽と上記ポンプの吸込側との間に介装された請求項１〜請求項１０の何れかに記載の放射能汚染水・空気浄化装置と、を具備し、
上記汚染水槽内の放射能汚染水を上記放射能汚染水・空気浄化装置によって浄化して上記ポンプにより排出するようにしたことを特徴とする放射能汚染水・空気浄化システム。
【請求項１８】
ブロアと、上記ブロアの吸込側に介装された請求項２記載の放射能汚染水・空気浄化装置と、を具備し、
放射能汚染空気を上記放射能汚染水・空気浄化装置によって浄化して上記ブロアにより排出するようにしたことを特徴とする放射能汚染水・空気浄化システム。
【考案の詳細な説明】
【技術分野】
【０００１】
本考案は、例えば、原子力発電所における放射能汚染水・空気を浄化する放射能汚染水・空気浄化装置と放射能汚染水・空気浄化システムに係り、特に、担体にヨウ素又は臭素存在下で金属ナノ粒子又は金属酸を定着させたフィルタを用いることにより、放射能汚染水・空気中の放射性物質を容易、且つ、効率良く回収して浄化することができるように工夫したものに関する。
【背景技術】
【０００２】
放射性物質の回収方法を開示するものとして、例えば、特許文献１がある。この特許文献１は本件実用新案登録出願人によるものである。
この特許文献１による放射性セシウムの回収方法では、例えば、環境中にゼオライトを散布して放射性セシウムを吸着させる。次に、放射性セシウムを吸着したゼオライトの担体をアルカリ溶液に入れて放射性セシウムを溶出させる。
尚、放射性セシウムを吸着した土壌が自然の担体となることもある。
次に、この放射性セシウムを含むアルカリ溶液に、クロロ金属酸又はこのクロロ金属酸を調製して金属ナノ粒子としたもの、及び、ヨウ素（Ｉ２）・ヨウ化カリウム（ＫＩ）溶液を添加するとともに、ｐＨ調整剤を添加して、放射性セシウムを含む結晶を析出させる。
【０００３】
尚、上記クロロ金属酸としては、例えば、ヘキサクロロ白金（ＩＶ）酸６水和物（Ｈ２（ＰｔＣｌ６）・６Ｈ２Ｏ）、ヘキサクロロイリジウム（ＩＶ）酸ｎ水和物（Ｈ２（ＩｒＣｌ６）・ｎＨ２Ｏ）、テトラクロロ金（ＩＩＩ）酸ｎ水和物（ＨＡｕＣｌ４・ｎＨ２Ｏ）等が用いられる。
又、上記金属ナノ粒子としては、例えば、白金（Ｐｔ）ナノ粒子又は金（Ａｕ）ナノ粒子又はイリジウム（Ｉｒ）ナノ粒子等が用いられる。上記金属ナノ粒子は、例えば、上記クロロ金属酸にクエン酸ナトリウム（Ｎａ３（Ｃ６Ｈ５Ｏ７）・２Ｈ２Ｏ）を所定の濃度となるように混合することで調製される。
又、上記ｐＨ調整剤としては、例えば、酢酸（ＣＨ３ＣＯＯＨ）又は乳酸（ＣＨ３ＣＨ（ＯＨ）ＣＯＯＨ）又は塩酸（ＨＣｌ）又は硫酸（Ｈ２ＳＯ４）又は酪酸（ＣＨ３（ＣＨ２）２ＣＯＯＨ）又は臭化水素（ＨＢｒ）又はホウ酸（Ｈ３ＢＯ３）又はリン酸（Ｈ３ＰＯ４）等といった酸性のものが用いられる。
【０００４】
次に、上記溶液から放射性セシウムを含む結晶を回収する。すなわち、上記溶液を遠心分離又は静置沈殿によって上記溶液中で結晶を収集し、その後、濾過によって上記結晶を分離する。このようにして、放射性セシウムを結晶として濃縮させた状態で回収してガラス等に封入して保管する。
【先行技術文献】
【特許文献】
【０００５】
【特許文献１】特開２０１４−１３００９３号公報
【考案の概要】
【考案が解決しようとする課題】
【０００６】
しかしながら、上記従来の構成によると次のような問題があった。
例えば、汚染水槽内に貯蔵されている放射能汚染水を浄化したい場合には、放射能汚染水中にゼオライトを投入して放射性物質を回収しなければならず、手間が掛かってしまうという問題があった。
放射能汚染空気を浄化したい場合も同様であり、環境中にゼオライトを散布して放射性物質を回収しなければならず、手間が掛かってしまうという問題があった。
【０００７】
本考案は、このような点に基づいてなされたもので、その目的とするところは、例えば、汚染水槽内に貯蔵されている放射能汚染水或いは環境中の放射能汚染空気中の放射性物質を容易、且つ、効率良く回収して浄化することができる放射能汚染水・空気浄化装置と放射能汚染水・空気浄化システムを提供することにある。
【課題を解決するための手段】
【０００８】
上記目的を達成するべく本願考案の請求項１による放射能汚染水・空気浄化装置は、多孔体と、上記多孔体の外側又は内側に配置され担体にヨウ素又は臭素存在下で金属ナノ粒子又は金属酸が定着されたフィルタと、を具備したことを特徴とするものである。
又、請求項２による放射能汚染水・空気浄化装置は、請求項１記載の放射能汚染水・空気浄化装置において、上記多孔体は内側多孔体であり、該内側多孔体の外側に上記フィルタが配置されていることを特徴とするものである。
又、請求項３による放射能汚染水・空気浄化装置は、請求項２記載の放射能汚染水・空気浄化装置において、上記フィルタの外側にはカラムが配置されていることを特徴とするものである。
又、請求項４による放射能汚染水・空気浄化装置は、請求項２記載の放射能汚染水・空気浄化装において、上記フィルタの外側には外側多孔体が配置されていることを特徴とするものである。
又、請求項５による放射能汚染水・空気浄化装置は、請求項１〜請求項４の何れかに記載の放射能汚染水・空気浄化装置において、上記フィルタは蛇腹状に設けられていることを特徴とするものである。
又、請求項６による放射能汚染水・空気浄化装置は、請求項１〜請求項５の何れかに記載の放射能汚染水・空気浄化装置において、上記フィルタは綿布又は不織布を担体としそこにヨウ素又は臭素存在下で金属ナノ粒子又は金属酸が定着されたものであることを特徴とするものである。
又、請求項７による放射能汚染水・空気浄化装置は、請求項１〜請求項５の何れかに記載の放射能汚染水・空気浄化装置において、上記フィルタはガラス繊維又は鉱物繊維からなるものを担体としそこにヨウ素又は臭素存在下で金属ナノ粒子又は金属酸が定着されたものであることを特徴とするものである。
又、請求項８による放射能汚染水・空気浄化装置は、請求項１〜請求項７の何れかに記載の放射能汚染水・空気浄化装置において、上記多孔体はステンレス製又はプラスチック製であることを特徴とするものである。
又、請求項９による放射能汚染水・空気浄化装置は、請求項１〜請求項８の何れかに記載の放射能汚染水・空気浄化装置において、上記金属ナノ粒子又は金属酸は白金ナノ粒子又は白金酸であることを特徴とするものである。
又、請求項１０による放射能汚染水・空気浄化装置は、請求項９記載の放射能汚染水・空気浄化装置において、上記白金酸はヘキサクロロ白金（ＩＶ）酸６水和物であることを特徴とするものである。
又、請求項１１による放射能汚染水・空気浄化システムは、汚染水槽と、上記汚染水槽に連絡された請求項１〜請求項１０の何れかに記載の放射能汚染水・空気浄化装置と、上記放射能汚染水・空気浄化装置に連絡された希釈水槽と、を具備し、上記汚染水槽内の放射能汚染水を上記放射能汚染水・空気浄化装置に導入し、導入された放射能汚染水を上記フィルタを通して浄化し、上記浄化された処理水を上記希釈水槽内に貯めるようにしたことを特徴とするものである。
又、請求項１２による放射能汚染水・空気浄化システムは、請求項１１記載の放射能汚染水・空気浄化システムにおいて、上記処理水の放射線量を線量計で計測するようにしたことを特徴とするものである。
又、請求項１３による放射能汚染水・空気浄化システムは、汚染水槽と、上記汚染水槽内に配置された請求項１〜請求項１０の何れかに記載の放射能汚染水・空気浄化装置と、を具備し、上記汚染水槽内の放射能汚染水を上記フィルタを通して浄化させ、上記浄化された処理水を上記汚染水槽内に戻し、以下、循環させるようにしたことを特徴とするものである。
又、請求項１４による放射能汚染水・空気浄化システムは、請求項１３記載の放射能汚染水・空気浄化システムにおいて、上記汚染水内には水中ポンプが浸漬されていて、上記放射能汚染水・空気浄化装置は上記水中ポンプの吐出側に配置されていることを特徴とするものである。
又、請求項１５による放射能汚染水・空気浄化システムは、汚染水槽と、上記汚染水槽に連絡された浄化水槽と、上記浄化水槽内であって汚染水導入側に配置された請求項１〜請求項１０の何れかに記載の放射能汚染水・空気浄化装置と、上記浄化水槽内であって処理水排出側に配置された請求項１〜請求項１０の何れかに記載の放射能汚染水・空気浄化装置と、を具備し、汚染水槽からの放射能汚染水を上記放射能汚染水・空気浄化装置を通して上記浄化装置内に導き、上記浄化装置内に導かれた処理水を上記放射能汚染水・空気浄化装置を通して再度浄化して上記浄化装置の外に流出させるようにしたことを特徴とするものである。
又、請求項１６による放射能汚染水・空気浄化システムは、請求項１５記載の放射能汚染水・空気浄化システムにおいて、上記浄化装置内は担体にヨウ素又は臭素存在下で金属ナノ粒子又は金属酸が定着されたフィルタにより区画されていることを特徴とするものである。
又、請求項１７による放射能汚染水・空気浄化システムは、汚染水槽と、上記汚染水槽に連絡されたポンプと、上記汚染水槽と上記ポンプの吸込側との間に介装された請求項１〜請求項１０の何れかに記載の放射能汚染水・空気浄化装置と、を具備し、上記汚染水槽内の放射能汚染水を上記放射能汚染水・空気浄化装置によって浄化して上記ポンプにより排出するようにしたことを特徴とするものである。
又、請求項１８による放射能汚染水・空気浄化システムは、ブロアと、上記ブロアの吸込側に介装された請求項２記載の放射能汚染水・空気浄化装置と、を具備し、放射能汚染空気を上記放射能汚染水・空気浄化装置によって浄化して上記ブロアにより排出するようにしたことを特徴とするものである。
【考案の効果】
【０００９】
以上述べたように本考案の請求項１による放射能汚染水・空気浄化装置によると、多孔体と、上記多孔体の外側又は内側に配置され担体にヨウ素又は臭素存在下で金属ナノ粒子又は金属酸が定着されたフィルタと、を具備した項になっているので、放射能汚染水・空気中の放射性物質を容易、且つ、効率良く回収して浄化することができる。
又、請求項２による放射能汚染水・空気浄化装置によると、請求項１記載の放射能汚染水・空気浄化装置において、上記多孔体は内側多孔体であり、該内側多孔体の外側に上記フィルタが配置されているので、放射能汚染水・空気中の放射性物質を容易、且つ、効率良く回収して浄化することができる。
又、請求項３による放射能汚染水・空気浄化装置によると、請求項２記載の放射能汚染水・空気浄化装置において、上記フィルタの外側にはカラムが配置されているので、放射能汚染水・空気中の放射性物質を容易、且つ、効率良く回収して浄化することができる。
又、請求項４による放射能汚染水・空気浄化装置によると、請求項２記載の放射能汚染水・空気浄化装において、上記フィルタの外側には外側多孔体が配置されているので、放射能汚染水・空気中の放射性物質を容易、且つ、効率良く回収して浄化することができる。
又、請求項５による放射能汚染水・空気浄化装置によると、請求項１〜請求項４の何れかに記載の放射能汚染水・空気浄化装置において、上記フィルタは蛇腹状に設けられているので、放射能汚染水・空気中の放射性物質を容易、且つ、効率良く回収して浄化することができる。
又、請求項６による放射能汚染水・空気浄化装置によると、請求項１〜請求項５の何れかに記載の放射能汚染水・空気浄化装置において、上記フィルタは綿布又は不織布を担体としそこにヨウ素又は臭素存在下で金属ナノ粒子又は金属酸が定着されたものであるので、放射能汚染水・空気中の放射性物質を容易、且つ、効率良く回収して浄化することができる。
又、請求項７による放射能汚染水・空気浄化装置によると、請求項１〜請求項５の何れかに記載の放射能汚染水・空気浄化装置において、上記フィルタはガラス繊維又は鉱物繊維からなるものを担体としそこにヨウ素又は臭素存在下で金属ナノ粒子又は金属酸が定着されたものであるので、放射能汚染水・空気中の放射性物質を容易、且つ、効率良く回収して浄化することができる。
又、請求項８による放射能汚染水・空気浄化装置によると、請求項１〜請求項７の何れかに記載の放射能汚染水・空気浄化装置において、上記多孔体はステンレス製又はプラスチック製であるので、放射能汚染水・空気中の放射性物質を容易、且つ、効率良く回収して浄化することができる。
又、請求項９による放射能汚染水・空気浄化装置によると、請求項１〜請求項８の何れかに記載の放射能汚染水・空気浄化装置において、上記金属ナノ粒子又は金属酸は白金ナノ粒子又は白金酸であるので、放射能汚染水・空気中の放射性物質を容易、且つ、効率良く回収して浄化することができる。
又、請求項１０による放射能汚染水・空気浄化装置によると、請求項９記載の放射能汚染水・空気浄化装置において、上記白金酸はヘキサクロロ白金（ＩＶ）酸６水和物であるので、放射能汚染水・空気中の放射性物質を容易、且つ、効率良く回収して浄化することができる。
又、請求項１１による放射能汚染水・空気浄化システムによると、汚染水槽と、上記汚染水槽に連絡された請求項１〜請求項１０の何れかに記載の放射能汚染水・空気浄化装置と、上記放射能汚染水・空気浄化装置に連絡された希釈水槽と、を具備し、上記汚染水槽内の放射能汚染水を上記放射能汚染水・空気浄化装置に導入し、導入された放射能汚染水を上記フィルタを通して浄化し、上記浄化された処理水を上記希釈水槽内に貯めるようにしたので、放射能汚染水中の放射性物質を容易、且つ、効率良く回収して浄化することができる。
又、請求項１２による放射能汚染水・空気浄化システムによると、請求項１１記載の放射能汚染水・空気浄化システムにおいて、上記処理水の放射線量を線量計で計測するようにしたので、放射能汚染水中の放射性物質を容易、且つ、効率良く回収して浄化することができる。
又、請求項１３による放射能汚染水・空気浄化システムによると、汚染水槽と、上記汚染水槽内に配置された請求項１〜請求項１０の何れかに記載の放射能汚染水・空気浄化装置と、を具備し、上記汚染水槽内の放射能汚染水を上記フィルタを通して浄化させ、上記浄化された処理水を上記汚染水槽内に戻し、以下、循環させるようにしたので、放射能汚染水中の放射性物質を容易、且つ、効率良く回収して浄化することができる。
又、請求項１４による放射能汚染水・空気浄化システムによると、請求項１３記載の放射能汚染水・空気浄化システムにおいて、上記汚染水内には水中ポンプが浸漬されていて、上記放射能汚染水・空気浄化装置は上記水中ポンプの吐出側に配置されているので、放射能汚染水中の放射性物質を容易、且つ、効率良く回収して浄化することができる。
又、請求項１５による放射能汚染水・空気浄化システムによると、汚染水槽と、上記汚染水槽に連絡された浄化水槽と、上記浄化水槽内であって汚染水導入側に配置された請求項１〜請求項１０の何れかに記載の放射能汚染水・空気浄化装置と、上記浄化水槽内であって処理水排出側に配置された請求項１〜請求項１０の何れかに記載の放射能汚染水・空気浄化装置と、を具備し、汚染水槽からの放射能汚染水を上記放射能汚染水・空気浄化装置を通して上記浄化装置内に導き、上記浄化装置内に導かれた処理水を上記放射能汚染水・空気浄化装置を通して再度浄化して上記浄化装置の外に流出させるようにしたので、放射能汚染水中の放射性物質を容易、且つ、効率良く回収して浄化することができる。
又、請求項１６による放射能汚染水・空気浄化システムによると、請求項１５記載の放射能汚染水・空気浄化システムにおいて、上記浄化装置内は担体にヨウ素又は臭素存在下で金属ナノ粒子又は金属酸が定着されたフィルタにより区画されているので、放射能汚染水中の放射性物質を容易、且つ、効率良く回収して浄化することができる。
又、請求項１７による放射能汚染水・空気浄化システムによると、汚染水槽と、上記汚染水槽に連絡されたポンプと、上記汚染水槽と上記ポンプの吸込側との間に介装された請求項１〜請求項１０の何れかに記載の放射能汚染水・空気浄化装置と、を具備し、上記汚染水槽内の放射能汚染水を上記放射能汚染水・空気浄化装置によって浄化して上記ポンプにより排出するようにしたので、放射能汚染水中の放射性物質を容易、且つ、効率良く回収して浄化することができる。
又、請求項１８による放射能汚染水・空気浄化システムによると、ブロアと、上記ブロアの吸込側に介装された請求項２記載の放射能汚染水・空気浄化装置と、を具備し、放射能汚染空気を上記放射能汚染水・空気浄化装置によって浄化して上記ブロアにより排出するようにしたので、放射能汚染空気中の放射性物質を容易、且つ、効率良く回収して浄化することができる。
【図面の簡単な説明】
【００１０】
【図１】本考案の第１の実施の形態を示す図で、放射能汚染水浄化システムの構成を示す図である。
【図２】本考案の第１の実施の形態を示す図で、放射能汚染水浄化装置の構成を示す図で、図２（ａ）は内側多孔体の斜視図、図２（ｂ）は内側多孔体の外側にフィルタを被冠させる様子を示す斜視図、図２（ｃ）は内側多孔体の外側にフィルタを被冠させたものにフランジを介して配管を接続させた様子を示す斜視図、図２（ｄ）は内側多孔体の外側にフィルタを被冠させたものをカラム内に収めて両端にフランジを介して配管を接続した様子を示す断面図である。
【図３】本発明の第１の実施の形態を示す図で、図３（ａ）はフィルタを綿布をヘキサクロロ白金（ＩＶ）酸６水和物液とヨウ素・ヨウ化カリウム溶液の混合液に浸漬させた状態を示す図、図３（ｂ）はフィルタを混合液から取り出して絞って風乾させた状態を示す図である。
【図４】本考案の第２の実施の形態を示す図で、放射能汚染水浄化システムの構成を示す図である。
【図５】本考案の第３の実施の形態を示す図で、放射能汚染水浄化システムの構成を示す図である。
【図６】本考案の第４の実施の形態を示す図で、放射能汚染水浄化システムの一部の構成を示す図である。
【図７】本考案の第４の実施の形態を示す図で、放射能汚染水浄化装置の構成を示す図で、図７（ａ）は放射能汚染水浄化装置の斜視図、図７（ｂ）は同上の正面図、図７（ｃ）は同上の側面図、図７（ｃ）は同上の側面図、図７（ｅ）は図７（ｂ）のｅ−ｅ断面図である。
【図８】本考案の第５の実施の形態を示す図で、放射能汚染水浄化システムの構成を示す図である。
【図９】本考案の第６の実施の形態を示す図で、放射能汚染水浄化システムの構成を示す図である。
【図１０】本考案の第７の実施の形態を示す図で、放射能汚染空気浄化システムの構成を示す図である。
【考案を実施するための形態】
【００１１】
以下、図１乃至図３を参照して本考案の第１の実施の形態を説明する。図１は本実施の形態による放射能汚染水浄化システムの構成を示す図であり、まず、放射能汚染水１を収容した汚染水槽３がある。上記汚染水槽３内の放射能汚染水１を配管５を介して放射能汚染水浄化装置７に導入する。上記放射能汚染水浄化装置７に導入された放射能汚染水１はそこで浄化されて配管９を介して希釈水槽１１に導入される。希釈水槽１１に導入された処理水１３はそこで所定濃度に希釈されて、例えば、海洋投棄される。又、配管９には線量計１５が設置されていて、処理水１３の放射線量が計測される。
尚、配管５、配管９には適所に図示しないポンプ、バルブ等が配置されている。
【００１２】
上記放射能汚染水浄化装置７は次のような構成になっている。まず、カラム２１があり、このカラム２１内にはフィルタ２３が内装されている。上記フィルタ２３の内側には中空円筒形状の内側多孔体２５が内装されている。上記カラム２１の一端にはフランジ２７が固着されているとともに他端にもフランジ２９が固着されている。
【００１３】
上記構成をなす放射能汚染水浄化装置７は、図２に示すような手順で組み立てられる。まず、図２（ａ）に示すように、内側多孔体２５がある。この内側多孔体２５は、例えば、ステンレス製であり内外を連通する複数の孔が形成された構成をなしている。
尚、本実施の形態の場合にはステンレス製としたが、例えば、プラスチック製でも良く、それ以外にも様々な材質が考えられる。
【００１４】
次に、図２（ｂ）に示すように、内側多孔体２５の外側にフィルタ２３を被冠する。上記フィルタ２３は、例えば、綿布、ポリプロピレン、エチレン等からなる不織布、活性炭練り込みスポンジ、布巾、ガラス繊維又は鉱物繊維、等を担体とし、そこに、ヨウ素又は臭素存在下で金属ナノ粒子又は金属酸が定着されたものである。より具体的には、一例として、綿布に、金属酸であるヘキサクロロ白金（ＩＶ）酸６水和物（Ｈ２（ＰｔＣｌ６）・６Ｈ２Ｏ）を、ヨウ素（Ｉ２）の存在下で定着させたものが挙げられる。
【００１５】
上記フィルタ２３は次のような製造工程を経て製造される。
まず、ヘキサクロロ白金（ＩＶ）酸６水和物液を調整する。次に、ヨウ素・ヨウ化カリウム溶液を調整する。このヨウ素・ヨウ化カリウム溶液は、ヨウ化カリウム水溶液に、所定の濃度となるようにヨウ素を溶かして調製されたものである。
尚、このヨウ素・ヨウ化カリウム溶液は、例えば、褐色瓶中に保管する。
【００１６】
次に、図３（ａ）に示すように、上記ヘキサクロロ白金（ＩＶ）酸６水和物液と上記ヨウ素・ヨウ化カリウム溶液を、ポリスチレン容器４１内にて混合させて混合液４３を作成する。
次に、図３（ａ）に示すように、金属ナノ粒子又は金属酸が定着される前のフィルタ２３´を上記混合液４３内に所定の時間（例えば、３０分間）浸漬させる。その後、図３（ｂ）に示すように、上記フィルタ２３´を取り出して余分な混合液４３を除去し、室温で風乾して上記フィルタ２３とする。
上記フィルタ２３には金属酸であるヘキサクロロ白金（ＩＶ）酸６水和物（Ｈ２（ＰｔＣｌ６）・６Ｈ２Ｏ）が定着されている。
【００１７】
又、次のような製造工程を経て製造することもある。この場合には、フィルタ２３´に金属ナノ粒子である白金ナノ粒子をヨウ素の存在下で定着させるものである。
【００１８】
初めに、白金ナノ粒子液を調整する。上記白金ナノ粒子液は、例えば、金属酸としてのヘキサクロロ白金（ＩＶ）酸６水和物に蒸留水を加える。その後、上記金属酸としてのヘキサクロロ白金（ＩＶ）酸６水和物と同じモル濃度となるようにクエン酸ナトリウム（Ｎａ３（Ｃ６Ｈ５Ｏ７）・２Ｈ２Ｏ）を混合することで調製される。
次に、ヨウ素・ヨウ化カリウム溶液を調整する。このヨウ素・ヨウ化カリウム溶液は、ヨウ化カリウム水溶液に、ヨウ化カリウムのモル濃度とヨウ素のモル濃度が２：１となるようにヨウ素を溶かして調製される。例えば、０．２Ｍヨウ化カリウム水溶液に０．１Ｍとなるようにヨウ素を溶かすことで、上記ヨウ素・ヨウ化カリウム溶液を調製する。
【００１９】
次に、図３（ａ）に示すように、ポリスチレン容器４１内にて上記白金ナノ粒子液と上記ヨウ素・ヨウ化カリウム溶液を１：６で混合させて混合液４３を作成する。
次に、図３（ａ）に示すように、フィルタ２３´を上記混合液４３内に所定の時間（例えば、３０分間）浸漬させる。その後、図３（ｂ）に示すように、上記フィルタ２３´を取り出して絞って余分な混合液４３を除去し、室温で風乾して上記フィルタ２３とする。
上記フィルタ２３には白金ナノ粒子が定着されている。
尚、フィルタ２３の製造方法等については、実用新案登録出願人の先行する特願２０１８−０６７３０６（未公開）に詳細に記載されている。
【００２０】
図２（ｃ）に示すように、上記内側多孔体２５とフィルタ２３の他端にフランジ２９を取り付け、図２（ｄ）に示すように、カラム２１を被冠するとともに、一端にフランジ２７を取り付ける。そして、フランジ２７に配管５を接続するとともにフランジ２９に配管９を接続する。
尚、本実施の形態の場合には、図２（ｄ）に示す状態で使用するが、図２（ｃ）に示す状態で投げ込み式の放射能汚染水浄化装置として使用することもある。それについては第２の実施の形態で詳しく説明する。
【００２１】
以上本実施の形態によると次のような効果を奏することができる。
まず、放射性ストロンチウム、放射性セシウム等の放射性物質を含んだ放射能汚染水１を容易に、且つ、効率良く浄化することができる。これは、金属酸であるヘキサクロロ白金（ＩＶ）酸６水和物（Ｈ２（ＰｔＣｌ６）・６Ｈ２Ｏ）を、ヨウ素（Ｉ２）７及びヨウ化カリウム（ＫＩ）環境下で面布に定着させてなるフィルタ２３を使用しているからである。
また、上記フィルタ２３の製造は容易である。すなわち、金属ナノ粒子又は金属酸が定着される前のフィルタ２３´を上記ヘキサクロロ白金（ＩＶ）酸６水和物液と上記ヨウ素・ヨウ化カリウム溶液の混合液４３に浸漬させた後取り出して余分な混合液４３を除去し、室温で風乾すればよいからである。
【００２２】
また、放射性ストロンチウム、放射性セシウムを吸着したフィルタ２３をアルカリ溶液に浸漬させることにより、放射性ストロンチウム、放射性セシウムを溶出・分離させることができる。
また、放射性ストロンチウム、放射性セシウムが溶出したアルカリ溶液に、上記白金ナノ粒子液とヨウ素・ヨウ化カリウム溶液を混合し、ｐＨ調整剤を添加して酸性とすることにより、放射性ストロンチウムが灰黒色の結晶（ＳｒＰｔＩ６）として析出されるとともに、放射性セシウムが濃紫色の結晶（Ｃｓ２ＰｔＩ６）として析出されるため、これらの結晶を回収して、例えば、ガラスに封入することにより小さなスペースで保管することができる。
【００２３】
次に、図４を参照して本考案の第２の実施の形態を説明する。前記第１の実施の形態の場合には、放射能汚染水浄化装置７を汚染水槽３の外に配置したが、この第２の実施の形態の場合には放射能汚染水浄化装置７を汚染水槽３内に投げ込むようにしたものである。その際、上記放射能汚染水浄化装置７は図２（ｃ）に示すような状態にあり、つまり、外筒２１、フランジ２７を外した状態になっている。又、この実施の形態の場合にも、配管９には適所にポンプ、バルブ等が配置されている。
但し、この場合には、内側多孔体２５の上端は閉塞されている。
尚、その他の構成は前記第１の実施の形態の場合と同じであり、図中同一部分には同一符号を付して示しその説明は省略する。
【００２４】
したがって、前記第１の実施の形態の場合と同様の効果を奏することができる。
【００２５】
次に、図５を参照して本考案の第３の実施の形態を説明する。前記第１の実施の形態の場合には、放射能汚染水浄化装置７において、上か下に向けて（フィルタ２３の外側から内側に向けて）放射能汚染水１を流通させたが、この第３の実施の形態の場合には、下から上に向けて（フィルタ２３の内側から外側に向けて）流通させるようにしたものである。
尚、その他の構成は前記第１の実施の形態の場合と同じであり、図中同一部分には同一符号を付して示しその説明は省略する。
【００２６】
したがって、前記第１、第２の形態の場合と同様の効果を奏することができる。
【００２７】
次に、図６、図７を参照して本考案の第４の実施の形態を説明する。まず、水中ポンプ６１があり、この水中ポンプ６１は、ケーシング６３と、このケーシング６３内に内装された図示しない羽根車と、この羽根車を回転駆動するモータ等から構成されている。上記ケーシング６３の上記羽根車側には吸込口６５が形成されていて、その反対側には吐出配管６７が接続されている。上記吐出配管６７にはフィルターマウント６９が取り付けられていて、そのフィルターマウント６９内には放射能汚染水浄化装置１０７が介挿されている。
【００２８】
上記放射能汚染水浄化装置１０７は図７に示すような構成になっている。まず、中空円筒形状の外側多孔体１０９があり、この外側多孔体１０９は、例えば、ステンレス製であって内外を連通する複数個の孔１１１が形成された構成になっている。上記外側多孔体１０９の一端にはフランジ１１３が固着されていて、このフランジ１１３には配管１１５が接続されている。又、上記外側多孔体１０９の他端には盲フランジ１１７が取り付けられている。上記外側多孔体１０９の内側にはフィルタ１１９が内装されており、そのフィルタ１１９の内側には中空円筒形状の内側多孔体１２０が内装されている。上記内側多孔体１２０も、例えば、ステンレス製であって内外を連通する複数個の孔１２２が形成された構成になっている。上記配管１１５はこの内側多孔体１２０に連通されている。
【００２９】
上記フィルタ１１９は、図７（ｅ）に示すように、蛇腹・円筒状に構成されている。上記フィルタ１１９の製造方法については前記第１乃至第３の実施の形態のフィルタと同じである。
尚、その他の構成は前記第１乃至第３の実施の形態と同じであり、図中同一部分には同一符号を付して示しその説明を省略する。
【００３０】
この実施の形態の場合には、図６に示した水中ポンプ６１を汚染水槽３内に浸漬させて使用する。水中ポンプ６１の吸込口６５を介して汚染水槽３内の放射能汚染水１を吸引し吐出配管６７を介して吐き出す。吐き出された放射能汚染水１は配管１１５を介して内側多孔体１２０内に流入し、内側多孔体１２０の複数個の孔１２２を介してフィルタ１１９の内側に流入する。放射能汚染水１はフィルタ１１９を内側から外側に向けて通過して外側多孔体１０９の内側に流入する。処理水は外側多孔体１０９の複数個の孔１１１を介して上記フィルターマウント６９内に流出し、そこから汚染水槽３内に流出する。以下、その循環を繰り返し、それによって、汚染水槽３内の放射能汚染水を効果的に浄化することができる。
【００３１】
次に、図８を参照して本考案の第５の実施の形態を説明する。まず、浄化水槽１２１があり、この浄化水槽１２１には汚染水槽側からの配管１２３が接続されている。上記配管１２３には開閉弁１２５が介挿されている。又、上記浄化水槽１２１内には放射能汚染水浄化装置１０７が設置されている。上記配管１２３を介して上記浄化水槽１２１内に導入された汚染水１は上記放射能汚染水浄化装置１０７によって浄化されて浄化水槽１２１内に放出される。
【００３２】
上記浄化水槽１２１内には壁状のフィルタ１１９が設置されている。又、上記浄化水槽１２１内であって上記放射能汚染水浄化装置１０７の設置場所の対角線上反対側には別の放射能汚染水浄化装置１０７が設置されている。又、上記浄化水槽１２１には放水管１２４が接続されており、上記浄化水槽１２１内の処理水１は上記放射能汚染水浄化装置１０７により再度浄化された後上記放水管１２４を介して放流される。上記フィルタ１１９は既に説明したフィルタ１１９と同じものであるが平面的に成形されている。
尚、上記配管１２３、１２４には図示しないポンプ、バルブ等が配置されている。
【００３３】
上記構成によると、配管１２３を介して浄化水槽１２１内に流入した放射能汚染水は放射能汚染水浄化装置１０７内を内側から外側に向かって流通することによって浄化される。浄化された処理水は上記フィルタ１１９を通過することにより浄化される。フィルタ１１９を通過した処理水は出口側の放射能汚染水浄化装置１０７を外側から内側に向かった流通することによって浄化される。つまり、放射能汚染水を３回にわたって浄化されることになる。
【００３４】
この第５の実施の形態の場合にも前記第１乃至第４の実施の形態の場合と同様の効果を奏することができる。
【００３５】
次に、第９図を参照して本考案の第６の実施の形態を説明する。まず、フィルターマウント１３１があり、このフィルターマウント１３１内に放射能汚染水浄化装置１０７が内装されている。又、上記フィルターマウント１３１には配管１３３が接続されていて、その配管１３３はポンプ１３５の吸込側に接続されている。上記ポンプ１３５には吐出配管１３７が接続されている。
その他の構成は前記第５の実施の形態の場合と同じであり、図中同一部分には同一符号を付して示しその説明を省略する。
【００３６】
上記構成によると、汚染水槽内の放射能汚染水は、配管１２３を介して放射能汚染水浄化装置１０７に導かれ、上記放射能汚染水浄化装置１０７を内側から外側に向けて流通しそこで浄化され、上記フィルターマウント１３１内に流出する。流出した処理水はポンプ１３５により吸引され吐出配管１３７を介して再度汚染水槽３内に戻される。以下、循環することにより汚染水槽３内の放射能汚染水を浄化する。
【００３７】
この第６の実施の形態の場合にも前記第１乃至第５の実施の形態の場合と同様の効果を奏することができる。
【００３８】
次に、図１０を参照して本考案の第７の実施の形態を説明する。前記第１乃至第６の実施の形態の場合には、放射能汚染水を浄化する場合を例に挙げて説明したが、この第７の実施の形態の場合には、放射能汚染空気を浄化の対象にしている。
まず、フィルターマウント１４１があり、このフィルターマウント１４１内には放射能汚染空気浄化装置１０７が内装されている。上記放射能汚染空気浄化装置１０７にはフレキシブル吸込配管１４３が接続されており、又、上記フィルターマウント１４１にはブロア１４７の吸込配管１４５が接続されている。
尚、上記放射能汚染空気浄化装置１０７の構成は既に説明した放射能汚染水浄化装置１０７と同じである。
【００３９】
上記構成によると、放射能汚染空気はフレキシブル配管１４３を介して放射能汚染空気浄化装置１０７内に導入され、放射能汚染空気浄化装置１０７内を内側から外側に向けて流通することにより浄化され、フィルターマウント１４１内に吐出される。そして、吸込配管１４５を介してブロア１４７により吸引され排気される。
【００４０】
この第７の実施の形態の場合にも前記第１乃至第６の実施の形態の場合と同様の効果を奏することができる。
【００４１】
尚、本考案は前記第１乃至第７の実施の形態に限定されるものではない。
まず、前記第１〜第７の実施の形態の場合には、フィルタを製造する際、綿布或いは不織布からなる担体をクロロ白金酸溶液或いは白金ナノ粒子液とヨウ素・ヨウ化カリウム溶液の混合液に浸漬させるようにしたが、先にクロロ白金酸溶液や白金ナノ粒子液に浸漬し、次にヨウ素・ヨウ化カリウム溶液に浸漬させるようにしてもよい。
又、前記第１〜第７の実施の形態の場合も、ヨウ素・ヨウ化カリウム溶液の代わりに、ヨウ化カリウム水溶液をそのまま用いてもよい。
又、フィルタの担体としては、綿布、不織布の他、ガラス繊維布、ステンレス等の金属繊維布や、鉱物繊維による鉱物繊維布の場合も考えられる。
また、金属酸としては、ヘキサクロロ白金（ＩＶ）酸６水和物以外にも、テトラクロロ金（ＩＩＩ）酸ｎ水和物、ヘキサクロロイリジウム（ＩＶ）酸ｎ水和物を用いる場合が考えられる。
また、金属ナノ粒子としては、白金ナノ粒子以外にも、金ナノ粒子又はイリジウムナノ粒子を用いる場合が考えられる。
その他、図示した構成はあくまで一例でありそれに限定されるものではない。
【産業上の利用可能性】
【００４２】
本考案は、例えば、原子力発電所における放射能汚染水・空気を浄化する放射能汚染水・空気浄化装置と放射能汚染水・空気浄化システムに係り、特に、担体にヨウ素又は臭素存在下で金属ナノ粒子又は金属酸を定着させたフィルタを用いることにより、放射能汚染水・空気中の放射性物質を容易、且つ、効率良く回収して浄化することができるように工夫したものに関し、例えば、原子力発電所の放射能汚染水の処理に好適である。
【符号の説明】
【００４３】
１  放射能汚染水
３  汚染水槽
５  配管
７  放射能汚染水浄化装置（放射能汚染水・空気浄化装置）
９  配管
１１  希釈水槽
１３  処理水
１５  線量計
２１  カラム
２３  フィルタ
２５  内側多孔体
２７  フランジ
２９  フランジ
【図１】
0003220597.tif 000003
【図２】
0003220597.tif 000004
【図３】
0003220597.tif 000005
【図４】
0003220597.tif 000006
【図５】
0003220597.tif 000007
【図６】
0003220597.tif 000008
【図７】
0003220597.tif 000009
【図８】
0003220597.tif 000010
【図９】
0003220597.tif 000011
【図１０】
0003220597.tif 000012